(57)【要約】      （修正有）【課題】在来は、使い捨てであった弁当箱や、食品などの容器は、その内容物を取り出した後や消費した後は、ゴミとして捨てられるだけであった。また、行楽、観光などの景観の豊かな地域では、ゴミ収集も充分でなく、せっかくの景観を汚す原因ともなっていた。【解決手段】容器の蓋と身の部分に、起伏を形成して、行楽観光地のシンボルである山岳や渓谷や、さまざまな事物の形態とする。在来の平凡な箱型容器と違い、行楽観光、あるいは登山客に強い、販売訴求力が、その形態ゆえに生まれ、その容器の本来の使用目的が終わっても、お土産として、記念品として、自宅に持ち帰り、その容器に、直接、着彩して、モデルとすることができ、また、その容器を原型として、さまざまな成形ができ、また、着彩など表面処理もできる複製のモデルをも製作できる。また、行楽、観光地の、ゴミを減少する効果もある。【選択図】図１
2012006655.tif 000002
【特許請求の範囲】
【請求項１】
プラスチック成形品や紙成形品の、弁当容器や、食品容器、或いはブリスターパック蓋等に於いて、その蓋部分は、山岳や渓谷などの地形モデルを形成し、その蓋の部分と、下面の平面で構成された容器の間に、適量の食品や販売物品を収容できる空間を形成するように構成した事を特徴とする容器。
【請求項２】
プラスチック成形品や紙成形品の、弁当容器や、食品容器、或いはブリスターパックの蓋などに於いて、その蓋部分の上面では、その容器の外側方向に、ベースとなる下側部材の下面は、容器の内側方向に、ほぼ同一の縮尺で、山岳や渓谷などの地形モデルを形成し、その蓋の部分と、ベースとなる下側部材の間に、適量の食品等を収容できる空間を形成し、積み重ね（スタック）ができる様に構成した事を特徴とする箱状の容器。
【請求項３】
山岳や渓谷などの形態をなした、弁当の容器や、食品容器、ブリスターパック蓋等において、使用後にそれらの容器を、使い捨てさせないように、その容器を使用して、その容器に、直接、着彩して、山岳や渓谷などの形態の地形モデルを製作する。あるいは、その容器を、原型として、樹脂や、寒天、蝋燭、セメントなど、そのほかの、時間硬化性の材料を充填して模型製作をする。或いは、蓋を原器として張子細工で、山岳や渓谷などの形態地形モデル等を製作できるようにした事を特徴とする特許請求項１及び特許請求項２の容器。
【請求項４】
プラスチック成形品や紙成形品の、弁当容器や、食品容器、或いはブリスターパックのなどに於いて、その蓋部分は透明材料で構成し、ベースとなる下側部材はフイルムインモールドなどの、着色、印刷技法で彩色した容器とし、その蓋及び下面容器は、山岳や渓谷などの地形モデル形状を形成し、その蓋の部分と、ベースとなる下側部材の間に、適量の食品などを収容できる空間を形成し、積み重ね（スタック）ができる様に構成した事を特徴とする特許請求項１及び特許請求項２、３の箱状の容器。
【請求項５】
プラスチック成形品や紙成形品の、弁当の容器や、食品容器において、その本来の使用も目的が完了した後で、それらの容器類が、山岳や渓谷などの形態の地形モデルを製作できる事実と方法を説明した、使用説明書などを容器下面の空間に付加する事を特徴とする特許請求項１及び特許請求項２、３、４の箱状容器。
【請求項６】
プラスチック成形品や紙成形品の容器において、形態を地形モデルに限らず、さまざまの物体、たとえば、人物の肉体や、森羅万象のものを、形態形成した容器と、その形態を写した容器で、さまざまなモデルを製作可能とする事を特徴とする特許請求項１及び特許請求項２、３、４の容器。
【発明の詳細な説明】
【技術分野】
【０００１】  この考案は、日本各地にある、その各地の名物の弁当などの食品容器類などに関します。
【背景技術】
【０００２】  日本の各地には、名所や名物があります。それをテーマとして、鉄道の駅の売店、高速道路のサービスエリアの売店、道の駅の売店、名所のお土産屋さんの店では、その地域での、各種の、特徴のある献立の名物あるいは、名産弁当や、そのほかの名物、名産食品などを売っています。その弁当や食品内容は、各地域で、実に、さまざまです。そのパッケージは、食品用プラスチックや、紙材、木板など、さまざまですが、最近は、パッケージのコストや、清潔性、安全性の面から、食品用プラスチック材料が多用されています。【０００３】  そのプラスチック材料や紙材料などを使用している、弁当や、名産食品の形状は、そのパッケージの色や印刷などの表面処理や平面デザインで、それが名物、名産であることを、行楽客、観光客にアピールしています。しかし、それらの多くのの形状は、６面の直方体で、その形状が、基本となっています。それら商品を、販売店頭で、際立たせる変化をつけるために、角を取ったり、円筒状にしたり数々の工夫を施しています。【０００４】  しかしながら、６面体の各面は平面のものが多く、また、行楽客や観光客にアピールするために、内部の名物名産食品が見えるように工夫をしています。６面体の上面の一部か全部に、行楽客や観光客にアピールするための絵や文言を印刷した、シールを貼ることもあり、内部を一部覆うかたちで、やはり、印刷した紙片も入れるような工夫もなされています。【０００５】  しかし、外形としては、直方体や、円筒状、そのほかの幾何的な形状、あるいは、たとえば、魚型とか、ほかの簡単な平面図形を立ち上げた立体が側品容器の基本的な形態になっています。そして食品容器の上面（蓋の面）と、底面は、基本的には平面的で、平坦です。その理由は、数百食、あるいは数千食もの大量に消費される容器ですから、その扱いは、調理、貯蔵、輸送、店頭での置きかたに便利なように、積み重ねて（スタックして）扱えるというのが重要だからです。
【特許文献】なし。
【発明の開示】
【発明が解決しようとする課題】
【０００６】  日本は、山国です。各地に、その地域、ある人にとっては彼の「ふるさと」を代表し象徴するような、有名な山々がたくさんあります。百名山、裏百名山、二百名山だとかの山の分類をしている人もいます。その山々、そして、その山々が生み出した渓谷への行楽観光客、一般の登山客、また、信仰にかかわる山々も多く、信仰にかかわる修業的登山客など、登山、参詣の人々も多いのです。文部省登山研究所の資料、財団法人日本生産性本部のレジャー白書、ほかによれば、年間の登山人口は、４００万人から６００万人弱です。これに、登山というほどでなく、山岳の景観を楽しむ人口をいれると、さらに多くの、山岳や渓谷の好きな人々がいます。【０００７】  山岳や、渓谷への行楽、観光、そして登山のような活動には、その日に摂る昼食の、お弁当とか、お土産としての食品が、販売されて、それらの活動をする人々は、それを購入することになります。【０００８】  その、お弁当とか、食品などのお土産品の容器は、現在は、［技術分野］において記述したように、基本的には平面的で、平坦です。ですから、個々の、お弁当やお土産としての容器としては、平面的な意匠を凝らしても、行楽客などの目からみれば、平凡であり、魅力的なものではありません。食べ終わったあとの、空の弁当容器などは、もうその役目を終えて、行楽、観光客の、余計な荷物となり、行楽、観光の記念に、自宅へ持ち帰るようなものではありません。【０００９】  その、お弁当とか、食品などのお土産品の容器は、その目的を果たしたあとは、単に、ゴミになり果てます。その行楽地に設置してあるゴミ箱に捨てられるか、その行楽地のあちこちに、折角の景観に、目障りなゴミとして放置されてしまいます。また、自宅へ持ち帰る、食品容器などは、その中身を取り出してしまうと、これも家庭のゴミとなってしまいます。【００１０】  上記の課題を解決するために、弁当箱の、現在の、基本的には６面体、あるいは円筒の、上面と下面の、現在は、少々の凹凸があるにせよ、基本的には平板な面を、その成形時に、成形型に大きな起伏を与えて、行楽、観光、登山の目的の、山岳や渓谷の地形モデルとなるような、形態を与えます。そのように弁当箱や、その他食品容器を構成します。上面は、容器の外側へ起伏するようにし、下面は、容器の内部へ、同様の起伏を設定します。弁当箱や食品容器は、通常、蓋と、身に別れた、印籠構造をしています。蓋の上面を、たとえば、容器の外側へ起伏させ、身は、容器の内部側に起伏させます。図１、と図２をご覧ください。【００１１】  これら容器の、上面、下面は、その地形の縮尺は同じか、厳密にするならば、下面の縮尺を、上面よりわずかながら、大きくします。弁当箱、あるいはその他の食品容器などは、身と蓋が合わさって、身と蓋とで構成される容器となったときには、個々の容器は、他の、同じ容器に、容易に重ね合わされます。つまり、スタックできるのです。しかも、身も蓋も大きな起伏を持ちますから、在来の食品容器よりはるかに、スタックの度合いが強く、在来の容器のように、容易に、荷崩れを起こすことがない利点あります。【００１２】  また、この地形モデルを再現した身と蓋は、主に、食品用プラスチック材料を使用します。���材料も、紙成形などの手法で、使用できます。成形のときに、たとえば、着色フィルムなどを表面に挟みこみ、接着成形するような技術を使用するとかの、さまざまな手法で、その地形のリアルな色彩で着色しておくという方法もあります。また、身と蓋に透明の材料を使用して、その中に詰めあわされる食品、食材ほかの固有の色彩で、山岳や渓谷などの色彩をイメージ的に、再現するということも可能となります。【００１３】  以上のように形成された、弁当箱や食品容器に、その中に詰められた食品などが、消費されたときに、この、空き箱でしかない、身と蓋の、楽しい利用方法を説明した小冊子、あるいは、ちらしなどを添付しておきます。その小冊子の中で、この、身と蓋を使用して、直接その表面に着彩して、山岳や渓谷などの地形モデルのプラスチックモデルを製作する方法や、この身や蓋を型として使用し、２液硬化性の樹脂や、セメント、溶かした蝋燭などを注入して、ソリッドなモデルを製作する方法、寒天や、こんにゃくなどを流し込んでの食品調理をする方法、伝統工芸の、張子（はりこ）で、この地形モデルを作る方法などを、紹介します。そのような、さまざまな地形モデルの製作は一種のホビーにもなるという利点も生まれます。
【発明の効果】
【００１４】  いままで、いろいろな地域での観光、行楽地で購入する、お弁当や、そのほかの食品容器は、６面体や円筒形、あるいは、平面形としては、すこしは、特徴がありましたが、上記したように、平凡な形態に終始してきています。この考案の容器は、観光行楽地、あるいは登山地域などでの販売活動において大きな商品訴求力を生みます。【００１５】  観光、行楽地や、登山地域では、そのあたりに、捨てられ、放置されるゴミは、観光、行楽地や、登山地域では、景観上、衛生上も大きな問題となっています。たとえば、富士山は、ゴミの山となっています。世界的にも、そのことは有名です。
この考案の、弁当箱は、その弁当箱を自宅に持って帰って、見て楽しむ、作って楽しむ、という利用方法がありますから、観光、行楽地や、登山地域での、ゴミとはなりにくく、ゴミを減らす効果、利点があります。【００１６】  上述の［００１３］で記述したように、新たなホビーの分野となります。また、日本では名山と言われる山が多く、百名山、二百名山などがあります。これらの地形モデルを集める趣味も生まれます。そう、コレクターズアイテムともなるのです。
【実施例】
【００１７】  以下、簡単な実施例のいくつかを記述します。そのひとつの例は、たとえば、日本で、山と言えば、なにをおいても、一番は富士山です。上記手法を用いて、たとえば、「富士山３次元景観弁当」という新たな商品を作ります。富士山の登山人口は、ここ最近、年間２０万人から３０万人です。名物の弁当となり、その使用後の容器は、いいお土産となります。ゴミも減ることになります
図１、図２において、たとえば、国土地理院の数値地図のデータで成形型を製作し、きわめてリアルな、富士山の形態の、食品容器の身と蓋を成形し、食材を詰めれば、たとえば、「名物富士山弁当」ともなります。また、容器と透明とし、詰め合わせる食材の色合いによって、容器内での、詰め合わせる場所に工夫をして、富士山らしい色の組み合わせの、詰め合わせとすれば、より、観光、行楽そして登山客への訴求力の高い容器、たとえば、お弁当になります。たとえば、富士山の山頂部には米飯、あるいは白い食材、中腹部には茶色い食材の、かんぴょうや、とんかつなど、裾野部分には、緑の野菜などの緑の食材などを詰め合わせるのです。また、図２の断面で示すように、調理、輸送、販売のときに、確実強固な積み重ね（スタック）ができます。これも大きな利点です。【００１８】  ふたつ目の例です。図３、図４、図５の容器の形式もありえます。これは、お弁当だけでなく、寸法を小さくすれば、たとえば、アイスクリームやチョコレート、プリン、ケーキなどの容器にもなります。この例では、図３、図４、図５の３が透明の蓋です。たとえば、アイスクリームの容器としますと、山頂部は、バニラなどの白いアイスクリーム、中腹部は、チョコレートやコーヒーなどの、茶色、ベージュ系のアイスクリーム、裾野部は、緑茶アイスクリームなどを詰めておきます。図１の５が、そのアイスクリーム商材です。「富士山３色アイスクリーム」となります。【００１９】  図６、図７は、ブリスターパックとした例です。図７の８に示しますように、お菓子、キャンディやチョコレート類などに好適な食品容器となります。図７の８ａと８ｂは、［００１８］で記述したように、山頂部の８ａは、たとえば、白いチョコレート、８ａ以外の８ｂ部は、茶色系などの、白ではない、中腹部から裾野を表現する色合いでできています。【００２０】  図８、図９は、やはり、お弁当類です。身の部分の底部に、たとえば、富士山が成形されています。その高さは、図８の１０の身（箱）の部分の箱上部の縁よりすこし、たとえば１ｃｍほど低く成形されています。また、その身（箱）の透明でもいいですし、身（箱）の成形時に、この例では富士山としていますが、モデルとする山に、着彩印刷をほどこしておくのも一工夫になります。これに、食材を詰め合わせます。すると富士山は、食材のために、見えなくなります。この、商材が詰めあわされた身（箱）に、図８の９の蓋をかぶせます。さらに、図の８の身に図８の９の蓋をしたお弁当に、たとえば、図８の１１のような、紙などの材料で形成した、筒状の部品を用意して、身と蓋が容易にはずれないように、スライドさせてはめ込みます。図９が、その状態です。ただし、図９では、この特許書類をわかりやすくするために、図の８の身に図８の９の蓋をしたお弁当の中には、食材を詰め合わせた状態で作図されていませんので、ご注意お願いします。図１０は、この例において、のしのような紙などを折って、セロファンテープや輪ゴムなどで止める方法での、お弁当の完成図です。このお弁当は、中身の食材を食べはじめると、徐々に、この例の富士山、あるいは、ほかの山のモデルが、見えてきます。すべてを食したあとに、それらの山の、外形の、全貌、山容がわかるという、面白さを加えたものです。
【図面の簡単な説明】
【００１８】
【図１】  山岳の景観を成形した、弁当容器などの食品容器の身と蓋の概観図
【図２】  図１の、弁当容器などの食品容器の身と蓋の断面図、スタックできることを示す図
【図３】  山岳の景観を成形した食品容器で、食材５を充填し、蓋をする前の一例図
【図４】  図３で、食材を充填する前の、食品容器の、身と蓋の外観図
【図５】  図３の断面図。スタックできることを示す図。
【図６】  ブリスター包装での、外観の一例図
【図７】  ブリスター包装での、包装される食材を含めての、構成図
【図８】  お弁当などで、身（箱）の部分にのみ、山岳外形が成形された構成図
【図９】  図８の組立図
【図１０】  図８の包装の別方法を示す外観図
【符号の説明】
【００１９】１        蓋
２        身
３        蓋
４        身
５        中身の食材
６        山岳などを成形品した、ブリスター包装のブリスター部の外観図
７        山岳などを成形品した、ブリスター包装の台紙の外観図
８        ブリスター包装の中身の食材例
８ａ      食材の色を部分的に変化させている例図
８ｂ      食材の色を部分的に変化させている例図
９        食品容器の蓋
１０      山岳などを成形した、食品容器の、身（箱）
１１      図８の９と１０を結合する、紙材などのスライド部品図
１２      図８の９と１０を結合する、のし紙を付加した、容器の完成図
【図１】
2012006655.tif 000003
【図２】
2012006655.tif 000004
【図３】
2012006655.tif 000005
【図４】
2012006655.tif 000006
【図５】
2012006655.tif 000007
【図６】
2012006655.tif 000008
【図７】
2012006655.tif 000009
【図８】
2012006655.tif 000010
【図９】
2012006655.tif 000011
【図１０】
2012006655.tif 000012